(57)【要約】【課題】継手取替の際に固持リングが再利用できるようにすると共に、ゴム部分の取替え時期が目に見えるようにする。【解決手段】  両端に配管接続用のゴムフランジ（２）を有し、それらの中間に可撓性の筒部（３）が形成されていている伸縮継手（１）である。前記可撓性の筒部（３）は、インナーゴム（４）、フィラーゴム（５）、ゴム引き補強布層（６）、アウターゴム（７）、ニップル（８）を有する。前記ニップル（８）は内側先端が前記アウターゴム（７）の下部に挿入されるのを除いて前記アウターゴム（７）の上部に位置する。前記ニップル（８）の外側末端は固持リング（９）と一体になり、前記ゴムフランジ（２）と接触する。【選択図】  図３
2020041627.tif 000002
【特許請求の範囲】
【請求項１】
両端に配管接続用のゴムフランジ（２）を有し、それらゴムフランジ（２）の中間に可撓性の筒部（３）が形成されていている伸縮継手（１）であって、
前記可撓性の筒部（３）は、インナーゴム（４）、フィラーゴム（５）、ゴム引き補強布層（６）、アウターゴム（７）、ニップル（８）を有し、
前記ニップル（８）は内側先端が前記アウターゴム（７）の下部に挿入されるのを除いて前記アウターゴム（７）の上部に位置し、
前記ニップル（８）の外側末端は固持リング（９）と一体になり、前記ゴムフランジ（２）と接触することを特徴とする伸縮継手。
【請求項２】
前記インナーゴム（４）が、チューブゴム（４１）と、このチューブゴムと異なる色に着色された色ゴム（４２）からなる請求項１記載の伸縮継手。
【請求項３】
前記固持リング（９）と前記ゴムフランジ（２）が加硫接着されていない請求項１又は２記載の伸縮継手。
【請求項４】
前記ゴムフランジ（２）が外方へ突出する突起（２１）を有する請求項１〜３のいずれかに記載の伸縮継手。
【発明の詳細な説明】
【技術分野】
【０００１】
本発明は、流体が通過する配管同士を接続する伸縮継手に関する。
【背景技術】
【０００２】
配管は流体の熱や圧力によって伸縮するだけでなく、流体の重量や地震等による振動によって軸方向のずれが発生しやすい。このような配管の変位を吸収するため、配管間の継ぎ目に環状の伸縮継手を設置するのが一般的である。
【０００３】
この種の伸縮継手としては、両端に配管に接続されるフランジを有し、それらの中間に可撓性の筒部が形成されていているものがよく知られている。このような伸縮継手は、内部を流通する流体の圧力に耐え、その自重や流体の重量によって大きく撓まないような強度、剛性が求められる一方、地震等の発生時には柔軟に伸長することが求められ、さらに、そうして伸長した後にできるだけ元の形状に復元することも求められる。
【０００４】
そのような、相反する種々の要求を満たすために、例えば特開２００２―３２１８７（特許文献１）に記載の伸縮継手では、その伸縮性筒部として、筒状のインナーゴムにフィラーゴムを螺旋状に巻き付け、それらの上からアウターゴムにより被覆したものを用いている。こうして螺旋状のフィラーゴムを埋め込むことで伸縮性筒部の形状を保持し、それが大きく撓むことを防止しながら、軸方向に引っ張られたときには全体をすぼませるように変形させることができる、とされている。
【０００５】
また、本出願人の実施している従来技術（添付の図４参照）では、配管を通過する流体が石膏スラリーである工場において使用しているものである。石膏スラリーは高粘度であるためチューブゴム４１’の摩耗が激しい。そのため、上記のような構造に加えて、内圧や負圧に対する補強材として胴体に補強リング３１を、フランジ２’に固持リング９’を、それぞれ設けている。この固持リング９’はボルト締結時にゴムが移動しやすいので、それを防ぎ、少ない圧縮量で面圧が確保するために加硫接着されている。また、補強リング３１も補強リング周りの隙間からゴムに亀裂等の発生を防ぐために加硫接着を行っている。しかし、そのために、継手取替の際には部分的にも再利用することができず、全体的に廃棄されている。それにより、廃棄量が増えると共に廃棄コストも上昇している。
【先行技術文献】
【特許文献】
【０００６】
【特許文献１】特開２００２―３２１８７
【発明の概要】
【発明が解決しようとする課題】
【０００７】
本発明は、上記従来技術のうち、特に後者の改良に関するものであり、補強リングを使用しなくてもすむようにすること、および、固持リングは使用するが、継手取替の際にはこの固持リングを再利用できるようにすることを目的とする。
【０００８】
さらに好ましい実施例においては、ゴム部分の取替え時期が目に見えるようにすることも目的とする。
【課題を解決するための手段】
【０００９】
本発明は、両端に配管接続用のゴムフランジ２を有し、それらゴムフランジ２の中間に可撓性の筒部３が形成されていている伸縮継手であって、前記可撓性の筒部３は、インナーゴム４、フィラーゴム５、ゴム引き補強布層６、アウターゴム７、ニップル８を有し、前記ニップル８は内側先端が前記アウターゴム７の下部に挿入されるのを除いて前記アウターゴム７の上部に位置し、前記ニップル８の外側末端は固持リング９と一体になり、前記ゴムフランジ２と接触することを特徴とする（請求項１）。
【００１０】
好ましくは、前記インナーゴムはチューブゴム４１と、このチューブゴムと異なる色に着色された色（カラー）ゴム４２からなる（請求項２）。
【００１１】
また好ましくは、前記固持リング９と前記ゴムフランジ２は加硫接着されていない（請求項３）。
【００１２】
さらに好ましくは、前記ゴムフランジ２は外方へ突出する突起２１を有する（請求項４）。
【発明の効果】
【００１３】
本発明においては、固持リング９はゴムフランジ２と加硫接着されていないので、取替え時にこれを外して再利用することができる。そのため、２台目以降はゴム体だけの取替えで済み、製品のコストを下げることができる。さらに、旧品の廃棄もゴム部分だけになるため、廃棄量を減らすことができ、廃棄コストも削減できるようになった。
【００１４】
また、本発明の好ましい実施例ではゴム部分の取替え時期が目に見えるようになったので、新品への交換時期が適切に判断できるようになった。
【図面の簡単な説明】
【００１５】
【図１】本発明実施例に係る伸縮継手の、（ａ）平面図、（ｂ）正面図、（ｃ）側面図である。
【図２】図１（ｂ）のＡ−Ａ断面図である。
【図３】図２のＢ−Ｂ断面図である。
【図４】図２のＢ−Ｂ断面図に相当する位置における、従来技術における断面図である。
【発明を実施するための形態】
【００１６】
図１に示すように、この実施例の伸縮継手１は、両端に配管接続用のゴムフランジ２を有し、それらの中間に可撓性の筒部３が形成されていている。
【００１７】
図２、図３に示すように、可撓性の筒部３は、内側から順に、インナーゴム４（４１，４２）、フィラーゴム５、ゴム引き補強布層６（６１，６２，６３）、アウターゴム７（７１，７２，７３）、ニップル８を有する。
【００１８】
インナーゴム４は、チューブゴム４１と色（カラー）ゴム４２からなる。色（カラー）ゴム４２はチューブゴム４１と異なる色に着色されている。インナーゴム４には耐摩耗性考慮してＣ−ＩＩＲ（塩素化ブチルゴム）等を採用することが好ましい。
【００１９】
配管を通過する流体が石膏スラリー等の高粘度液体であるとき、チューブゴム４１の摩耗が激しいので、定期的な取替えが必要である。色（カラー）ゴム４２を使用することにより、チューブゴム４１が摩耗していくと、カラーゴム４２が現れるので、ゴム部分の取替え時期を視覚的に確認できる。
【００２０】
フィラーゴム５は、伸縮継手の中央部に断面形状が隆起部（図例では半円形状）として形成されている。フィラーゴム５としては、伸縮性ないしは可撓性の確保のために比較的硬度が低い天然ゴム（ＮＲ）又はクロロプレンゴム（ＣＲ）が好ましい。
【００２１】
３層のゴム引き補強布層６は、フィラーゴム層５を除いた部位に設けられ、補強布６１、補剛布６２、保護布６３からなる。ゴム引き補強布層６は、化繊にＮＲ又はＣＲをゴム引きしてなるものとすればよい。
【００２２】
アウターゴム７は、フィラーゴム５の上下に設けられるカバーゴム層７１，７２とこれらに囲まれたストッパーゴム７３からなり、フィラーゴム５を被覆する。アウターゴム７としては、対候性に優れ、伸縮性ないしは可撓性の確保のために比較的硬度が低いＣＲ又エチレンプロピレンゴム（ＥＰＤＭ）等が好ましい。
【００２３】
ニップル８は、内側先端がストッパーゴム７３の下部に挿入されると共にゴム引き補強布層６の上部に位置する。ニップル８の外側末端は垂直に立ち上がる固持リング９と一体になり、ゴムフランジ２と接触する。この固持リング９付きのニップル８を設けることにより、フィラーゴム５が補強されるので、補強リング（従来例を示す図４の３１参照）が不要となる。
【００２４】
このとき、固持リング９とゴムフランジ２は加硫接着していない。そのため、締結時のゴムの移動が大きくなり従来タイプより面圧が低くなり、止水性が下がる可能性があるが、これを防ぐために、ゴムフランジ２にゴムの突起２１を設けることで面圧を高め止水性の問題を解消している。
【００２５】
伸縮継手１の交換時期が来たとき、固持リング９及びニップル８は加硫接着されていないため、これらの部品を取り出し、再利用することができる。これにより２台目以降はゴム部分だけの取替ですむので、製品のコストが下がるとともに、旧品の廃棄もゴム部分だけになる。したがって、廃棄量を減らすだけでなく、廃棄コストも削減できる。
【符号の説明】
【００２６】
１     伸縮継手
２     フランジ
２１   突起
３     筒部
３１   補強リング
４     インナーゴム
４１   チューブゴム
４２   カラー（色）ゴム
５     フィラーゴム
６     補強布層
６１   補強布
６２   補剛布
６３   保護布
７     アウターゴム
７１，７２    カバーゴム層
７３   ストッパーゴム
８     ニップル
９     固持リング
【図１】
2020041627.tif 000003
【図２】
2020041627.tif 000004
【図３】
2020041627.tif 000005
【図４】
2020041627.tif 000006